(57)【特許請求の範囲】
【請求項１】
一方向に伸びる棒状部材を収容する半円形湾曲板と、
該半円形湾曲板の側板に矩形状に形成された開口部に側板を貫通して挿通され、前記一方向に伸びる棒状部材と直交する棒状部材を収容するＵ字状係合片と、
前記半円形湾曲板の側板下端に形成された内方折曲片と前記Ｕ字状係合片との間隙に打ち込まれる楔片とから構成される十字接手において、
前記半円形湾曲板に形成された前記開口部の幅は、前記Ｕ字状係合片の幅より大きくされて、前記開口部の上縁には、前記Ｕ字状係合片の端縁を前記直交する棒状部材の軸方向と正または負の所定角度の範囲で回動して、任意の角度で受け入れ可能な係合凹部が刻設されていることをことを特徴とする十字接手。
【請求項２】
前記Ｕ字状係合片の上縁部には、前記一方向に伸びる棒状部材を受け入れる円弧状凹部が設けられていることを特徴とする請求項１に記載された十字接手。
【発明の詳細な説明】
【技術分野】
【０００１】
本発明は、温室、サクランボハウス、畜舎、露地野菜用防虫ハウス等の簡易建物の骨組み構造、特に前記簡易建物の骨組みの肩部において、水平方向に延びる桁材と垂直方向からやや傾斜するアーチ材とを交差角を微妙に調整して接合する十字接手の構造に関するものである。
【背景技術】
【０００２】
本発明者は、前記簡易建物の骨組み構造について別途、簡易建物の骨組み構造を極めて特異の構造とすることで、従来簡易建物の骨組みとして使用していた炭素鋼製パイプ材料の使用総量を重量ベースで削減すること、及び、基礎工事自体を不要とするとともに組立作業を簡略化すること、によって建設コストを大幅に低減しつつ、高強度の簡易建物の骨組み構造を提供することを目的として、複数本の湾曲部材が棟木部接手によって平面視Ｘ字状正面視アーチ状に接合された骨組みユニットを１単位とする複数単位からなるアーチ材と、前記棟木部接手によって前記アーチ材の頂部において該アーチ材に接合された棟木材と、肩部接手によって前記アーチ材の肩部において該アーチ材に接合された桁材と、からなる簡易建物の骨組み構造において、前記アーチ材は、隣り合う前記骨組みユニットの前記湾曲部材同士が、前記棟木材と前記桁材との間においてＸ字状に交差するように配設され、その下端部が土中に挿入されている簡易建物の骨組み構造を提案する者である。
【特許文献１】特願２００６−１４７４７３号
【０００３】
前述の十字状に交差する棒状部材を交差角を微妙に調整して接合する接手としては、図７に示される、一対の持受け体と、一対の抱込み体とからなり、前記持受け体は円形状の平板部と、そのあい対する両端から内方に向けて屈曲する蟻溝形挾持部とで形成され、前記平板部にはその仮想回動中心をもって画かれる円弧の直径方向の一端に、円周方向に並ぶ多数の受孔があけられ、他端には前記挾持部が形成された側に突起が設けられて、一対の持受体は、それぞれの突起が他の持受け体の受孔に相互に嵌入しうるように組み合わされ、前記抱込み体は骨材を抱込むための半筒形部と、その開口両端から側方向に突出し、前記持受体の挾持部に嵌入されるつば部とで形成されている骨材用連結金具が提案されている。
【特許文献２】実公昭５９−０１８１７２号公報
【０００４】
前記特許文献２に記載された十字接手は、交差角を微妙に調整して十字形に接合することができるものの、棒状部材と棒状部材の間に円形状の持受け体が２枚介在していて、２本の棒状部材を直接接触した状態で十字形に接合することができない。
【発明の開示】
【発明が解決しようとする課題】
【０００５】
以上の実状に鑑み、本発明は前記従来技術の欠点を克服することを課題とし、交差角を微妙に調整して十字形に接合することができ、かつ、十字形に接合される２本の棒状部材を直接接触した状態で接合することができる十字接手を提供することを目的とするものである。
【課題を解決するための手段】
【０００６】
請求項１に係る発明は、一方向に伸びる棒状部材を収容する半円形湾曲板と、  該半円形湾曲板の側板に矩形状に形成された開口部に側板を貫通して挿通され、前記一方向に伸びる棒状部材と直交する棒状部材を収容するＵ字状係合片と、  前記半円形湾曲板の側板下端に形成された内方折曲片と前記Ｕ字状係合片との間隙に打ち込まれる楔片とから構成される十字接手において、前記半円形湾曲板に形成された前記開口部の幅は、前記Ｕ字状係合片の幅より大きくされて、前記開口部の上縁には、前記Ｕ字状係合片の端縁を前記直交する棒状部材の軸方向と正または負の所定角度の範囲で回動して、任意の角度で受け入れ可能な係合凹部が刻設されていることをことを特徴としている。
請求項２に係る発明は、前記Ｕ字状係合片の上縁部には、前記一方向に伸びる棒状部材を受け入れる円弧状凹部が設けられていることを特徴としている。
【発明の効果】
【０００７】
本発明の請求項１に係るに十字接手は、交差角を微妙に調整して十字形に接合することができ、かつ、十字形に接合される２本の棒状部材を直接接触した状態で接合することができる。
また、請求項２に係る十字接手は、設定した交差角を安定して維持することができる。
【実施例】
【０００８】
図１は、簡易建物の骨組み構造の実施例の斜視図、図２は、同側面図、図３は、簡易建物の骨組みの骨組みユニットを示す図である。図４は、棟木材とアーチ材を接合する３層交差管接手を示す図面、図５は、アーチ材同士をＸ字状に接合するＸ字接手を示す図、図７は、本発明に係る水平の桁材と垂直からやや傾いたアーチ材を接合する十字接手を示す図である。図７は、従来の十字接手を示す図である。
【０００９】
図１乃至図６を参照して、簡易建物の骨組み構造の実施例について詳細に説明する。
１は、一般構造用炭素鋼管から組成された簡易建物の骨組み構造を表わすものであり、通常この骨組みには、ビニル系、ポリオレフィン系、フッ素系等のフィルム、シート、防虫ネット等の被覆材が被覆されて、温室、サクランボハウス、畜舎、露地野菜用防虫ハウス、倉庫等の簡易な建物として利用される。
【００１０】
２は、正面視左右対称形状の湾曲部材である２本の湾曲した鋼管パイプ２ａ、２ｂを公知の接手によって接合した逆Ｕ字状の端部アーチ部材であり、簡易建物の棟方向両端部において、梁間方向に配されている。この実施例では、所定の間隔をあけて２本の端部アーチ部材２が、建物両端部にそれぞれ設置されて端部アーチ材を構成しているが、その数は１本でも、３本でもよい。
【００１１】
３は、図３に示されるように、平面視Ｘ字状に、正面視アーチ状となるように、図４に示される棟木部接手１１によって接合された骨組みユニットである。
この棟木部接手１１は、上段に棟木材５に固定される棟木固定部１２と、該棟木固定部の下方にボルト等の固定具１５にて連結され、後述する４本の鋼管パイプの一端を開口部から挿入固定して接続するＸ字接続管１６とから構成されている。
棟木固定部１２は、棟木５に固定される半円形湾曲板１３と、Ｘ字接続管１６と固定具１５にて一体化された取付板１４とから構成されており、鋼板を折曲げ加工したものを図５（ｂ）に示される黒塗りされた部位において溶接して形成されたものである。
半円形湾曲板１２は、正面視逆Ｕ字状を呈し、両側の側板１３１、１３１の下端部には内方及び上方へ折曲げられたＬ字部材１３３、１３３が溶接されて溝１３４が形成されている。
該溝１３４は後述するテーパー状の脚１４１を備えた取付板１４が、側面視して左右いずれの側からでも打ち込めるように、中央部位が頂となる山形に形成してある。
取付板１４は、正面視中央に棟木５と固定具１５の頭部を受け入れる凹部が形成された上板の両端に、下縁がテーパー状とされた脚１４１が溶接された、ある種のクサビである。
Ｘ字接続管１６は、２本の接続管１７、１８がＸ字状に重なって立体的に交差しており、上記取付板１４とともにボルト、ナット等の固定具１５にて一体化されている。
【００１２】
骨組みユニット３は、上述の端部アーチ材用の鋼管パイプ２ａ、２ｂと同じ高さで、正面視したときの幅がやや広く、平面視して斜めに配置したときに端部アーチ材用の鋼管パイプの形状と同じになる、正面視左右対称形状の４本の湾曲した鋼管パイプ３ａ、３ｂ、３ｃ、３ｄの先端を、上述のＸ字接続管１６に挿入固定して交差状に組み立てられている。
このとき、Ｘ字接続管１６には取付板１４が固定されているので、棟木５を挟持した状態で上記半円形湾曲板１３の溝１３４に取付板１４の脚１４１を当接し、半円形湾曲板１３を棟木５に沿って滑らせて、棟木５と骨組みユニット３とを接合する。
このようにして組み立てられた骨組みユニット３は、平面視してＸ字状を、正面視してアーチ状を呈する。
この実施例では、４本の湾曲した鋼管パイプ３ａ、３ｂ、３ｃ、３ｄにて骨組みユニット３を構成したが、この実施例に限らず、それ自体アーチ形状をした２本の湾曲部材を上記のものとは異なるＸ字接手により立体的に交差した状態に接合してもよい。
【００１３】
４は、図１に示されるように、連続的に設置されたものの一つ置きのＸ字状骨組みユニット３に取り付けられるタイバーである。このタイバーは、骨組みユニット３の平面視右側に位置する湾曲部材３ａ、３ｄを連結している。
なお、タイバー４の取り付け方については、全ての骨組みユニット３に取り付けてもよい。また、骨組みユニット３の左側、あるいは両側に取り付けることも可能である。要するに、風の強さや降雪量等の地域特性を考慮して決定すればよい。
５は、上記端部アーチ材と上記アーチ材の頂部に接合された棟木、６、７は、該両アーチ材の肩部、柱部下端部に接合された桁材、裾材である。
【００１４】
以下、上述の端部アーチ材、アーチ材、棟材、桁材、裾材の具体的な設置例について説明する。
間口６ｍ、地表面より桁材までの柱高２ｍの端部アーチ部材２ａは、簡易建物の棟方向両端に１本ずつ、その内側に０．４５〜０．５５ｍ間隔を設けてもう１本ずつ建て込まれ、柱部下端部が土中に挿入されて立設され、端部アーチ材２を構成している。
その中間には、複数単位の骨組みユニット３が連続的に０．８〜０．９ｍスパンで建て込まれているが、図１に示されるように、隣り合う骨組みユニット３、例えば図２に示される３の１と３の２の湾曲部材同士３ａと３ｃ、３ｄと３ｂは、棟木材５と桁材６との間において、Ｘ字接手２１によって重なって交差するように配設され、また、一つ置きの骨組みユニット３、例えば３の１と３の３の湾曲部材の柱部下端同士が、略近接して位置するように配設され、その下端部が土中に挿入されている。
【００１５】
図５を参照して、Ｘ字接手２１について説明する。
図５（ｂ）は、パイプ３ａ、３ｃを実装した平面図である。
Ｘ字接手２１は、短冊状の鋼板を折曲加工して形成されていて、短手方向に対して所定角度である２０°傾斜した溝状受入部２３を有している同一形状の２枚の鋼板２２、２２を、該溝状受入部２３、２３同士を対向させて重合して、図示しないボルト、蝶ナット等の固定具にて固定されている。
前記２枚の鋼板のうちの一方２２の１端部には円孔２４が、他端部には前記円孔２４を中心とする円弧に沿った長孔２６が穿設されている。
そして、前記２枚の鋼板のうちの他の鋼板２２の両端部には、前記円孔２４と前記長孔２６に対応する位置にそれぞれ円孔２５，２７が穿設されている。
円孔２７は、鋼管パイプ３ａ、３ｃが４０度の角度で交差するとき、長孔２６の中心に位置するよう設定されている。
一方の鋼板２２は、他の鋼板２２に対して円孔２４、２５を貫通するボルト等の固定具を中心として±５度程度回動し得るから、鋼管パイプ３ａ、３ｃ同士の交角が多少変化しても、鋼板２２を相互に回動することにより微調整可能である。
【００１６】
次いで肩部における十字接手３１について、図６を参照して説明する。
図６（ａ）は正面図、図６（ｂ）は平面図、図６（ｃ）は側面図である。
この肩部における十字接手３１は、前記アーチ材２、３の肩部及び裾部において、桁材６または裾材７と該アーチ材とを、アーチ材がやや傾斜した十字状に接合する接手である。肩部における十字接手と裾部における十字接手とは構造が同一であるので、以下、肩部における十字接手について説明する。
十字接手３１は、短冊状の鋼板を折曲加工して形成されるもので、水平方向に伸びる桁材６または裾材７を収容する半円形湾曲板３２と、その側板３５に形成された開口部３３に挿通され、棒状部材であるアーチ材３または端部アーチ材２を収容するＵ字状係合片３４と、半円形湾曲板３２の側板３５下端に形成された内方折曲片３７と鋼管パイプを抱持するＵ字状係合片３４との間隙に打ち込まれる楔片３８とから構成されている。
図６（ａ）を参照して、半円形湾曲板３２に形成された矩形の開口部３３の棟方向の幅は、上記Ｕ字状係合片３４の幅より大きくされて、開口部３３の上縁には、Ｕ字状係合片３４の端縁を直交方向と±１０度の範囲で回動して、任意の角度で受け入れる係合凹部３９が多数刻設されている。
また、Ｕ字状係合片３４の上縁部には、桁材等６（７）を受け入れる円弧状凹部４０が設けられている。
桁材６と裾材７は、この肩部接手３１と同様の構造の裾部接手により、上記アーチ材２、３に固定される。
【００１７】
以上の説明から明らかなように、この実施例の簡易建物の骨組み構造によれば、棟部において、４本の鋼管パイプをＸ字接続管１６にて一体化して骨組みユニット３を構成し、この骨組みユニット３を半円形湾曲板１３と取付板１４にて棟木５に固定し、棟木５と桁材６の中間部位において、Ｘ字接手２１にて隣り合う骨組みユニットのアーチ材同士を接合して、肩部において１つ置きに隣り合う骨組みユニット３のアーチ材同士を近接させて桁材６と接合して、屋根面を構成している。
屋根面の棟木５と桁材６の間では、棟木５を上弦材とし桁材６を下弦材とするトラスが二重に配置された構造となっており、強度的に優れた架構を構築することができる。
【図面の簡単な説明】
【００１８】
【図１】簡易建物の骨組み構造の斜視図である。
【図２】簡易建物の骨組み構造の側面図である。
【図３】骨組み構造の１単位の骨組みユニットの斜視図である。
【図４】３層交差管接手を示す図面である。
【図５】アーチ材同士をＸ字状に接合するＸ字接手を示す図である。
【図６】本発明に係る水平の桁材と垂直からやや傾いたアーチ材を接合する十字接手を示す図である。
【図７】従来の交差角調整可能な十字接手を示す図である
【符号の説明】
【００１９】
１    簡易建物の骨組み構造
２    端部アーチ材
３    アーチ材
４    タイバー
５    棟木材
６    桁材
７    裾材
９    谷樋
１１    ３層交差管接手
１２    棟木固定部
１５    固定具
１６    Ｘ字接続管
２１    Ｘ字接手
２２    鋼板
２３    鋼板
３１    十字接手
３２    半円形湾曲板
３４    Ｕ字状係合片
３８    楔片
【図１】
0004761545.tif 000002
【図２】
0004761545.tif 000003
【図３】
0004761545.tif 000004
【図４】
0004761545.tif 000005
【図５】
0004761545.tif 000006
【図６】
0004761545.tif 000007
【図７】
0004761545.tif 000008